(57)【要約】      （修正有）【課題】大出力の送風ファンを使用せず、多様化する用紙を浮上させ、用紙を１枚ずつ吸着、搬送することができる給紙装置を提供する。【解決手段】浮上送風ファン２１２Ｆ，２２１Ｆ１、吸引ファン３５１Ｆ、分離送風ファン２２１Ｆ２を動作させて、用紙収納部２００に収納された用紙Ｐを搬送ベルト３０１に吸着させ、吸着検知情報信号と回転検知信号に基づいて、電源部を制御して駆動モータ３１１Ｍを動作させて、搬送ベルトに吸着した用紙を搬送させる制御部を有する。【選択図】図４
2010247970.tif 000002
【特許請求の範囲】
【請求項１】
用紙を収納する用紙収納部と、
前記用紙収納部に収納された用紙に吹きつけて用紙を浮上させるエアフローを発生する浮上送風ファンと、
駆動モータにより駆動され複数の通気孔を有する搬送ベルトと、前記複数の通気孔を介して用紙を前記搬送ベルトに吸引する空気流を形成する吸引ファンとを有し、吸引された用紙を前記搬送ベルトに吸着して搬送する吸着搬送部と、
前記搬送ベルトに吸着された用紙から当該用紙に付着した他の用紙を分離するエアフローを発生する分離送風ファンと、
前記搬送ベルトに用紙が吸着されたことを検知して吸着検知情報信号を発する吸着検知センサと、
前記分離送風ファンが回転したことを検知して回転検知信号を発する回転検知センサと、
少なくとも、前記浮上送風ファン、前記吸引ファン、前記分離送風ファン、及び前記駆動モータに電力を供給する電源部と、
前記電源部を制御して、前記浮上送風ファン、前記吸引ファン、前記分離送風ファンを動作させて前記用紙収納部に収納された用紙を前記搬送ベルトに吸着させ、前記吸着検知情報信号と前記回転検知信号に基づいて前記電源部を制御して前記駆動モータを動作させて、前記搬送ベルトに吸着した用紙を搬送させる制御部と、
を有することを特徴とする給紙装置。
【請求項２】
前記制御部は、１枚目の給紙に際し、前記電源部に、前記浮上送風ファンの動作を前記分離送風ファンの動作開始後第１の待機時間が経過後に開始させ、前記吸引ファンの動作を前記浮上送風ファンの動作開始後第２の待機時間が経過後に開始させることを特徴とする請求項１に記載の給紙装置。
【請求項３】
請求項１または２に記載の給紙装置と、用紙に画像形成を行う画像形成装置を接続してなり、前記画像形成装置は前記給紙装置から搬送された用紙に画像形成を行うことを特徴とする画像形成システム。
【発明の詳細な説明】
【技術分野】
【０００１】
本発明は、収納した用紙を搬送する給紙装置、及び、当該給紙装置を画像形成装置に接続してなる画像形成システムに関する。
【背景技術】
【０００２】
用紙を複写機やプリンタ等の画像形成装置に供給する装置として給紙装置が用いられる。給紙装置は、用紙収納部に収納された用紙を１枚ずつ取り出し、画像形成装置に給送する。用紙収納部に収納された用紙を１枚ずつ取り出し搬送するのにエア給紙装置が用いられているものがある。
【０００３】
エア給紙装置は、用紙が収納される用紙収納部の上部に、空気を吸引する吸引ファンと、複数の開口が配された無端のベルト（搬送ベルト）を備え、吸引ファンの動作により形成される空気の流れにて用紙収納部に収納された用紙を搬送ベルトに吸着させるとともに、搬送ベルトを回転駆動して用紙を搬送する。
【０００４】
エア給紙装置では、用紙を搬送ベルトに確実に吸着させるために、用紙収納部に載置された用紙の側端部からエアフロー（空気流）を吹きつけて用紙を浮上させることがなされる。
【０００５】
ところが、搬送ベルトに吸着された、本来搬送されるべき用紙に、他の用紙が付着してしまうことがある。本来搬送されるべき用紙に他の用紙が付着したまま搬送されると、いわゆる、重送となり、ジャムの原因ともなる。このため、搬送ベルトに直接吸引された用紙から、付着した用紙を分離することがなされる。例えば、搬送ベルトに吸着させた用紙に沿ってエアフローを吹きつけて、搬送ベルトに吸着された用紙に付着する他の用紙を分離・離間させることがなされる。
【０００６】
このような用紙を浮上、あるいは分離するために吹きつけるエアフローは、モータとモータにより回転されるファンとを有する送風ファンにより形成される。給紙装置には複数の送風ファンが配置され、それぞれが適切な位置からエアフローを吹きつけ、用紙を浮上、あるいは、搬送ベルトに吸着された、本来搬送されるべき用紙からそれに付着した用紙を分離するように構成されている。
【０００７】
このような、用紙を浮上、あるいは、本来搬送されるべき用紙からそれに付着した用紙を分離するにあたり、一台の送風ファンにより形成したエアフローを分流して、用紙を浮上させるエアフローと、用紙を分離させるエアフローとして吹きつける技術が提案されている（特許文献１参照）。
【先行技術文献】
【特許文献】
【０００８】
【特許文献１】特開２００７−２７６９１０号公報
【発明の概要】
【発明が解決しようとする課題】
【０００９】
近年、デジタル情報技術の発達によりコンピュータ等で作成されたデータを直接印刷する印刷方法が広まり、サイズや質量の異なる多様な用紙を給紙可能な給紙装置が必要となっている。
【００１０】
そして、大きい質量の用紙に対応するために、用紙収納部に載置された用紙を浮上させるエアフローの出力を大きくすることが必要になってきている。
【００１１】
特許文献１に提案されているような、一台の送風ファンにより形成されたエアフローを、用紙を浮上させるエアフローと、用紙を分離するエアフローとに分けて吹きつける方式では、双方に十分なエアフローを送風するためには、大きい出力の送風ファンが必要となる。
【００１２】
しかし、大きい出力の送風ファンは、標準的なファンに比べて、極めて高価であり、給紙装置の価格も高く設定せざるを得ない。また、大きい出力の送風ファンは大出力のモータを必要とする。モータは起動時に大電流を供給する必要があるが、大出力の送風ファンを駆動するには電源部を、特に、起動時に十分な電流を供給できるように、その出力を大きくする必要がある。
【００１３】
本発明はこのような問題に鑑みてなされたもので、大出力の送風ファンを使用せず、多様化する用紙を浮上させ、用紙を１枚ずつ確実に搬送することができる給紙装置を提供することを課題とする。
【課題を解決するための手段】
【００１４】
上記課題は以下の手段により解決される。
【００１５】
１．用紙を収納する用紙収納部と、
前記用紙収納部に収納された用紙に吹きつけて用紙を浮上させるエアフローを発生する浮上送風ファンと、
駆動モータにより駆動され複数の通気孔を有する搬送ベルトと、前記複数の通気孔を介して用紙を前記搬送ベルトに吸引する空気流を形成する吸引ファンとを有し、吸引された用紙を前記搬送ベルトに吸着して搬送する吸着搬送部と、
前記搬送ベルトに吸着された用紙から当該用紙に付着した他の用紙を分離するエアフローを発生する分離送風ファンと、
前記搬送ベルトに用紙が吸着されたことを検知して吸着検知情報信号を発する吸着検知センサと、
前記分離送風ファンが回転したことを検知して回転検知信号を発する回転検知センサと、
少なくとも、前記浮上送風ファン、前記吸引ファン、前記分離送風ファン、及び前記駆動モータに電力を供給する電源部と、
前記電源部を制御して、前記浮上送風ファン、前記吸引ファン、前記分離送風ファンを動作させて前記用紙収納部に収納された用紙を前記搬送ベルトに吸着させ、前記吸着検知情報信号と前記回転検知信号に基づいて前記電源部を制御して前記駆動モータを動作させて、前記搬送ベルトに吸着した用紙を搬送させる制御部と、
を有することを特徴とする給紙装置。
【００１６】
２．前記制御部は、１枚目の給紙に際し、前記電源部に、前記浮上送風ファンの動作を前記分離送風ファンの動作開始後第１の待機時間が経過後に開始させ、前記吸引ファンの動作を前記浮上送風ファンの動作開始後第２の待機時間が経過後に開始させることを特徴とする前記１に記載の給紙装置。
【００１７】
３．前記１または２に記載の給紙装置と、用紙に画像形成を行う画像形成装置を接続してなり、前記画像形成装置は前記給紙装置から搬送された用紙に画像形成を行うことを特徴とする画像形成システム。
【発明の効果】
【００１８】
本発明により、大出力の送風ファンを使用せず、多様化する用紙を確実に搬送することができる給紙装置を提供することができる。
【図面の簡単な説明】
【００１９】
【図１】画像形成装置Ｇと、本発明の実施の形態の一例である給紙装置ＰＳとが接続された画像形成システムを示す図である。
【図２】給紙ユニットＳＵの概念図である。
【図３】側面ガイド２１１、２１２、及び、先端突き当て部２２１から吹き出されるエアフローを説明する図である。
【図４】給紙ユニットＳＵを、用紙Ｐの搬送方向に沿って、並列する２本の搬送ベルト３０１の間で切断した断面図である。
【図５】本実施の形態の画像形成システムにおける用紙搬送動作を制御する制御系のブロック図である。
【図６】給紙装置ＰＳにおけるＣＰＵ９０１の給紙に係る動作を説明するフローチャートである。
【発明を実施するための形態】
【００２０】
図１は、画像形成装置Ｇと、本発明の実施の形態の一例である給紙装置ＰＳとが接続された画像形成システムを示す図である。
【００２１】
図示された画像形成システムは、給紙装置ＰＳに収納された用紙を画像形成装置Ｇに給送し、画像形成装置Ｇは受け入れた用紙に画像を形成して機外に排出する。
【００２２】
画像形成装置Ｇは、複数の感光体３１Ｙ、Ｍ、Ｃ、Ｋを一本の中間転写ベルト４１に対面させて縦列に配列し、フルカラーの画像を形成するタンデム型カラー画像形成装置と称されるものである。
【００２３】
画像形成装置Ｇは、その上部に自動原稿送り装置ＡＤＦを備えている。
【００２４】
自動原稿送り装置ＡＤＦは原稿載置台に載置された原稿Ｄを、１枚ずつ画像形成装置Ｇの原稿画像読取り位置に送り出す。
【００２５】
画像形成装置Ｇは、原稿読取部１、露光部２、画像形成部３、中間転写部４、定着部５、用紙搬送部６、操作表示部８、制御部９を有し、それらが一つの筐体内に収められている。
【００２６】
原稿読取部１は、原稿読取り位置ＲＰにて原稿の画像をランプＬにて照射し、その反射光を第１ミラーユニット１１、第２ミラーユニット１２、レンズ１３によって導き、撮像素子ＣＣＤの受光面に結像させる。
【００２７】
撮像素子ＣＣＤにより光電変換された画像信号は、画像読取制御部にてＡ／Ｄ変換、シェーディング補正、圧縮等の処理がなされ、制御部９のメモリに画像データとして格納される。
【００２８】
メモリに格納された前記画像データには、ユーザにより設定されている条件により適宜な画像処理が施されて、出力画像データが生成される。
【００２９】
露光部２は、出力画像データに基づいてＹ（イエロー）、Ｍ（マゼンタ）、Ｃ（シアン）Ｋ（黒）の４色に対応するレーザビームを照射する露光ユニット２Ｙ、２Ｍ、２Ｃ、２Ｋを有している。露光ユニット２Ｙ、２Ｍ、２Ｃ、２Ｋ、はそれぞれ、レーザ光源、ポリゴンミラー、複数のレンズを有し、出力画像データに基づくレーザビームを生成する。
【００３０】
画像形成部３は、Ｙ（イエロー）、Ｍ（マゼンタ）、Ｃ（シアン）Ｋ（黒）の４色に対応する画像形成ユニット３Ｙ、３Ｍ、３Ｃ、３Ｋを有している。画像形成ユニット３Ｙ、３Ｍ、３Ｃ、３Ｋは、それぞれ、感光体３１Ｙ、Ｍ、Ｃ、Ｋ、と、現像部３３Ｙ、Ｍ、Ｃ、Ｋ、第１転写ローラ３４Ｙ、Ｍ、Ｃ、Ｋ、を有している。
【００３１】
露光部２の露光ユニット２Ｙ、２Ｍ、２Ｃ、２Ｋ、から、それぞれ、Ｙ（イエロー）、Ｍ（マゼンタ）、Ｃ（シアン）Ｋ（黒）の４色に対応するレーザビームが、それぞれ、画像形成ユニット３Ｙ、３Ｍ、３Ｃ、３Ｋの感光体３１Ｙ、３１Ｍ、３１Ｃ、３１Ｋに照射され、各感光体には潜像が形成される。
【００３２】
感光体３１Ｙ、３１Ｍ、３１Ｃ、３１Ｋ上の潜像は、対応する現像部３３Ｙ、３３Ｍ、３３Ｃ、３３Ｋにより現像されて、Ｙ（イエロー）、Ｍ（マゼンタ）、Ｃ（シアン）Ｋ（黒）色トナー画像となる。
【００３３】
感光体３１Ｙ、３１Ｍ、３１Ｃ、３１Ｋ上に形成されたトナー画像は第１転写ローラ３４Ｙ、３４Ｍ、３４Ｃ、３４Ｋにより、中間転写部４にて中間転写体である中間転写ベルト４１の所定位置に逐次転写されて、中間転写ベルト４１上にカラートナー画像が形成される。
【００３４】
そして、中間転写ベルト４１上に形成されたカラートナー画像は、転写手段である第２転写ローラ４２によって、用紙搬送部６により搬送されてきた用紙Ｐに転写される。
【００３５】
用紙搬送部６は、複数の搬送ローラと案内手段とを有し、給紙トレイＴＲ１、ＴＲ２、ＴＲ３に収納された用紙を、画像形成装置Ｇ内の所定の位置に所定のタイミングで搬送する。
【００３６】
トナー画像を転写された用紙Ｐは、用紙搬送部６により定着部５に送られ、対向して回転するローラまたはベルト等の回転体によって加圧加熱されることによって、トナー画像が用紙Ｐへ定着される。
【００３７】
定着部５による定着処理を終えた用紙Ｐは用紙搬送部６により排紙台６１に排出される。
【００３８】
操作表示部８は液晶パネルで構成される表示部にタッチスクリーンを重ねて配置したタッチパネルを備えている。操作表示部８は各種操作画面を表示するとともに、画像形成システムに実行させるジョブにおける用紙の条件、例えばサイズ、部数、及び、画像形成装置Ｇに収納された用紙を使用するか、あるいは、給紙装置ＰＳに収納された用紙を使用するかの選択を入力できる。
【００３９】
９は制御部であり、制御部９は操作表示部８から入力されたジョブの条件を踏まえて画像形成装置Ｇの動作を制御して画像形成を行うとともに、ジョブの条件を踏まえて、給紙装置ＰＳに用紙Ｐを画像形成装置Ｇに供給させる。
【００４０】
図示される給紙装置ＰＳは、同一の構成をなす給紙ユニットＳＵを２組と、用紙搬送路４００とを備えている。給紙ユニットＳＵは用紙収納部２００と吸着搬送部３００とを備えている。用紙収納部２００及び吸着搬送部３００はモータにより駆動されるファンと、モータにより駆動されるローラを有し、ファン及びローラを駆動することにより、用紙収納部２００に積載、収納された用紙Ｐを１枚ずつ用紙搬送路４００に送り出す。
【００４１】
用紙搬送路４００はモータにより駆動されるローラを複数有し、給紙ユニットＳＵから送り込まれた用紙Ｐを画像形成装置Ｇに送り出す。
【００４２】
なお、給紙ユニットＳＵの配置数は２組に限定されるものではなく、１組でもよいし３組以上でもよい。
【００４３】
２組の給紙ユニットＳＵには、それぞれの用紙収納部２００に異なるサイズ、紙種の用紙を収納することができる。
【００４４】
５００は電源部である。電源部５００は、給紙ユニットＳＵ及び用紙搬送路４００のモータに電力を供給する。
【００４５】
給紙装置ＰＳにおける９００は給紙制御部である。給紙制御部９００は、画像形成装置Ｇの制御部９の情報信号に基づいて、電源部５００、給紙ユニットＳＵ、用紙搬送路４００の動作を制御して、情報信号に指定された用紙を給紙ユニットＳＵから取り出して、用紙搬送路４００を経由して画像形成装置Ｇに送付させる。
【００４６】
図２は、給紙ユニットＳＵの概念図である。
【００４７】
給紙ユニットＳＵは、複数の用紙Ｐを収納する用紙収納部２００の上部に吸着搬送部３００を備えている。吸着搬送部３００は用紙収納部２００に収納された用紙Ｐを吸着して搬送する。
【００４８】
吸着搬送部３００には、用紙Ｐの搬送方向に沿って同一の形態をなす２本の搬送ベルト３０１が並列して配置されている。
【００４９】
搬送ベルト３０１は、無端状で、表裏を貫通する複数の通気孔３０１ｈが幅方向に並列に配されるとともに、並列配置される複数の通気孔３０１ｈが、長さ方向に配されている。
【００５０】
２本の搬送ベルト３０１はそれぞれの軸を平行に配置された駆動ローラ３１１と、２個の従動ローラ３１２、３１３との間に掛け渡されており、駆動ローラ３１１の回転により駆動される。
【００５１】
駆動ローラ３１１は、非図示の駆動モータにより回転駆動される。
【００５２】
吸着搬送部３００における２本の搬送ベルト３０１は駆動ローラ３１１が矢印Ｒ方向に回転駆動されると用紙収納部２００に対向する面側が、矢印Ｆ方向に移動する。
【００５３】
従動ローラ３１２、３１３は、駆動ローラ３１１が回転駆動されることによる搬送ベルト３０１の回転駆動に従動する。
【００５４】
３５１は減圧室である。減圧室３５１は、ローラ間に掛け渡された２本の搬送ベルト３０１の内周側に配置されている用紙収納部２００に対向した図示下側に開口を有する箱体でありその内部空間は減圧されている。減圧室３５１が減圧されていることにより、減圧室３５１の開口に対向した搬送ベルト３０１の通気孔３０１ｈを通して、用紙Ｐを減圧室３５１の方向に吸引する空気の流れが発生する。この、空気の流れにより、用紙が搬送ベルト３０１に吸着される。２本の搬送ベルト３０１は駆動ローラ３１１の回転により駆動され、吸着された用紙Ｐは矢印Ｆ方向に搬送される。
【００５５】
用紙収納部２００は、用紙Ｐを載置する用紙載置台２０１と、用紙載置台２０１に積載された用紙Ｐの側面に当接して支持する側端面支持部材である側面ガイド２１１、２１２と、用紙載置台２０１に積載された用紙Ｐの搬送方向下流側の先端が当接する先端突き当て部２２１とを備えている。側面ガイド２１１、２１２は当接する用紙を挟んで対称な形態に構成されている。
【００５６】
用紙載置台２０１には複数の用紙を積載可能であり、用紙載置台２０１に載置された用紙Ｐの最上位に位置する用紙Ｐから対向する搬送ベルト３０１までの距離が所定の範囲を維持する非図示の昇降機構を有している。
【００５７】
用紙載置台２０１に載置された用紙Ｐの側縁には、側面ガイド２１１、２１２と、先端突き当て部２２１からエアフロー（空気流）吹きつけられる。エアフローの吹きつけによって積載された上位に位置する用紙Ｐを浮上させ、搬送ベルト３０１に確実に吸着させることができる。
【００５８】
図３は、側面ガイド２１１、２１２、及び、先端突き当て部２２１から吹き出されるエアフローを説明する図である。
【００５９】
２１２Ｈは側面ガイド２１２に配された浮上エア吹出口である。浮上エア吹出口２１２Ｈからは、矢印で示されるエアフロー（空気流）Ａ２が吹き出される。
【００６０】
同様に、２１１Ｈは側面ガイド２１１に配された浮上エア吹出口である。浮上エア吹出口２１１Ｈからは、矢印で示されるエアフロー（空気流）Ａ１が吹き出される。
【００６１】
２２１Ｈ１は、先端突き当て部２２１に配された浮上エア吹出口である。浮上エア吹出口２２１Ｈ１からは、矢印で示されるエアフロー（空気流）Ａ３が吹き出される。
【００６２】
給紙ユニットＳＵは、浮上エア吹出口２１１Ｈ、２１２Ｈ、２２１Ｈ１からエアフローＡ１、Ａ２、Ａ３を用紙載置台２０１に載置された用紙Ｐの側面に吹きつけ、用紙載置台２０１に載置された用紙Ｐを浮上させる。
【００６３】
また、２２１Ｈ２は分離エア吹出口である。分離エア吹出口２２１Ｈ２からは、矢印で示されるエアフローＡ４が吹き出される。
【００６４】
エアフローＡ４により、搬送ベルト３０１に吸着された用紙に他の用紙が付着しているとき、搬送ベルト３０１に直接吸着されている用紙からそれに付着している用紙を分離・離間させることができ、複数の用紙が重なりあったまま搬送されることが防止される。
【００６５】
給紙ユニットＳＵについて、さらに、説明する。
【００６６】
図４は、給紙ユニットＳＵを、用紙Ｐの搬送方向に沿って、並列する２本の搬送ベルト３０１の間で切断した断面図である。
【００６７】
側面ガイド２１２は、浮上エア吹出口２１２Ｈを有する。浮上エア吹出口２１２Ｈは側面ガイド２１２に配されたダクト２１２Ｄの端部の開口である。ダクト２１２Ｄには浮上送風ファン２１２Ｆが配置されている。浮上送風ファン２１２Ｆは、モータとモータにより回転されて所定の方向に送風するファンが一体になったファンユニットである。浮上送風ファン２１２Ｆのモータは電源部５００（図４にては非表示、図１、図５に表示）から供給される電力により回転する。浮上送風ファン２１２Ｆの回転により形成されるエアフローＡ２は、浮上エア吹出口２１２Ｈから用紙載置台２０１に載置された用紙Ｐの図示奥側の側面に向かって吹き出される。
【００６８】
同様に、図４には表示されていないが、用紙Ｐを挟んで手前側の側面ガイド２１２と対称位置に配置された側面ガイド２１１は、浮上エア吹出口２１１Ｈを有する。浮上エア吹出口２１１Ｈは側面ガイド２１１に配されたダクト２１１Ｄの端部の開口である。ダクト２１１Ｄには浮上送風ファン２１１Ｆが配置されている。浮上送風ファン２１１Ｆは、モータとモータにより回転されて所定の方向に送風するファンが一体になったファンユニットである。浮上送風ファン２１１Ｆのモータは電源部５００から供給される電力により回転する。浮上送風ファン２１１Ｆの回転により形成されるエアフローＡ２は、浮上エア吹出口２１１Ｈから用紙載置台２０１に載置された用紙Ｐの図示手前側の側面に向かって吹き出される。
【００６９】
先端突き当て部２２１は、浮上エア吹出口２２１Ｈ１と分離エア吹出口２２１Ｈ２の２つの開口を有する。
【００７０】
浮上エア吹出口２２１Ｈ１は先端突き当て部２２１に配された第１のダクトであるダクト２２１Ｄ１の端部の開口である。ダクト２２１Ｄ１には浮上送風ファン２２１Ｆ１が配置されている。浮上送風ファン２２１Ｆ１は、モータとモータにより回転されて所定の方向に送風するファンが一体になったファンユニットである。浮上送風ファン２２１Ｆ１のモータは電源部５００から供給される電力により回転する。浮上送風ファン２２１Ｆ１の回転により形成されるエアフローＡ３は、浮上エア吹出口２２１Ｈ１から用紙載置台２０１に載置された用紙Ｐの図示左側の側面に向かって吹き出される。
【００７１】
分離エア吹出口２２１Ｈ２は先端突き当て部２２１に配された第２のダクトであるダクト２２１Ｄ２の端部の開口である。ダクト２２１Ｄ２には分離送風ファン２２１Ｆ２が配置されている。分離送風ファン２２１Ｆ２は、モータとモータにより回転されて所定の方向に送風するファンが一体になったファンユニットである。分離送風ファン２２１Ｆ２のモータは電源部５００から供給される電力により回転する。分離送風ファン２２１Ｆ２の回転により形成されるエアフローＡ４は、分離エア吹出口２２１Ｈ２から搬送ベルト３０１の図示下面に向かって吹き出される。
【００７２】
２２１Ｓはダクト２２１Ｄ２に配された回転検知センサである。回転検知センサ２２１Ｓは分離送風ファン２２１Ｆ２が回転しているか否かを検知し、分離送風ファン２２１Ｆ２が回転していることを検知すると回転検知信号を発信する。回転検知信号の有無により、分離送風ファン２２１Ｆ２が回転しているか否かが判断できる。
【００７３】
吸着搬送部３００は、搬送ベルト３０１、駆動ローラ３１１、従動ローラ３１２、３１３、減圧室３５１を備えるとともに、吸着検知センサ３６０を備えている。駆動ローラ３１１は駆動モータ３１１Ｍの回転により駆動される。駆動モータ３１１Ｍは電源部５００から供給される電力により回転する。
【００７４】
減圧室３５１には吸引ファン３５１Ｆが配されており減圧室３５１内部の空気を排出し、減圧室の内部空間を減圧する。吸引ファン３５１Ｆは、モータとモータにより回転されて所定の方向に送風するファンが一体になったファンユニットである。吸引ファン３５１Ｆのモータは電源部５００から供給される電力により回転する。
【００７５】
吸着検知センサ３６０は、減圧室３５１を周回して並列配置されている２本の搬送ベルト３０１の間に配置されており、搬送ベルト３０１に吸着された用紙Ｐの有無を検知する。
【００７６】
吸着検知センサ３６０は、吸着検知レバー３６１、バネ３６３、及びレバー位置検出センサ３６４を備え、吸着検知レバー３６１は軸３６２を支点に回転可能に配置され、バネ３６３により軸３６２を回転中心として半時計回転方向に付勢される。
【００７７】
図４示す吸着検知センサ３６０は、搬送ベルト３０１に用紙Ｐが吸着されていない状態で、バネ３６３により付勢されている吸着検知レバー６１の先端は、２本の搬送ベルト３０１の間にて、搬送ベルト３０１の下端面より下方に突出する。この状態でのレバー位置検出センサ３６４の出力はＯＦＦ、すなわち、吸着検知センサ３６０の出力はＯＦＦとなる。
【００７８】
一方、搬送ベルト３０１に用紙Ｐが吸着されると、吸着検知レバー３６１の先端は、搬送ベルト３０１の表面に吸引される用紙Ｐに当接されて、バネ３６３の付勢力に抗して図示矢印方向に回転される。搬送ベルト３０１に用紙Ｐが吸着されたとき、レバー位置検出センサ３６４の出力はＯＮ、すなわち、吸着検知センサ３６０の出力はＯＮとなる。吸着検知センサ３６０の出力がＯＮのとき吸着検知センサ３６０から吸着検知情報信号が発信される。
【００７９】
したがって、吸着検知情報信号の有無により、搬送ベルト３０１に用紙Ｐが吸着されたか否かが判断できる。
【００８０】
用紙載置台２０１に積載された用紙Ｐには、エアフローＡ１（非図示）、Ａ２、Ａ３が吹きつけられる。
【００８１】
エアフローＡ１、Ａ２、Ａ３の吹きつけによって用紙Ｐは用紙載置台２０１から浮上する。そして、搬送ベルト３０１に配された通気孔３０１ｈを介して吸着搬送部３００の搬送ベルト３０１の内周に設けられた減圧室３５１の方向に吸引され、搬送ベルト３０１に吸着される。
【００８２】
用紙Ｐが搬送ベルト３０１に吸着されたとき、用紙Ｐに他の用紙が付着している場合があるが、分離エア吹出口２２１Ｈ２から搬送ベルト３０１に吸着された用紙Ｐ１に沿って吹きつけるエアフローＡにより、用紙Ｐ１から、それに付着している他の用紙を分離・離間させる。
【００８３】
吸着検知情報信号を得た後、回転検知センサ２２１Ｓによる回転検知信号を確認、すなわち、分離送風ファン２２１Ｆ２の回転を確認してから所定の時間が経過するまでエアフローＡ４を吹きつけて、用紙Ｐ１から、それに付着している他の用紙を分離・離間させる。そして、用紙Ｐ１から、それに付着している他の用紙を分離・離間させた後に駆動モータ３１１Ｍの起動がなされ、搬送ベルト３０１の回転がなされる。
【００８４】
搬送ベルト３０１に吸着された用紙Ｐは、搬送ベルト３０１の回転移動により用紙搬送路４００に送られる。
【００８５】
用紙搬送路４００の入口には入口センサ４００Ｓが設けられており、用紙Ｐの用紙搬送路４００への搬送が検知される。図中、４００Ｒ１は入口搬送ローラ、４００Ｒ２は入口従動ローラである。入口搬送ローラ４００Ｒ１は、電源部５００から供給される電力により回転する入口モータ４００Ｍにより回転駆動される。回転する入口搬送ローラ４００Ｒ１と入口従動ローラ４００Ｒ２とは、用紙搬送路４００の入口へ搬送されてきた用紙Ｐを狭持し、入口搬送ローラ４００Ｒ１の回転により用紙搬送路４００へ送り出す。
【００８６】
用紙搬送路４００へ送り出された用紙Ｐは、画像形成装置Ｇに送付され、画像形成に供される。
【００８７】
＜給紙装置ＰＳの制御＞
以下、本実施の形態の給紙装置ＰＳが行う用紙の吸着、分離、搬送の動作の制御について説明する。
【００８８】
図５は、本実施の形態の画像形成システムにおける用紙搬送動作を制御する制御系のブロック図である。なお、同図では本実施形態の給紙装置ＰＳにおける用紙の吸着、搬送の制御に係る動作説明に必要な部分の周囲を中心に記載してあり、その他の画像形成システムとして周知の部分については省略してある。
【００８９】
画像形成装置Ｇにおける制御部９は、ＣＰＵ９１、ＲＯＭ９２、ＲＡＭ９３、を有するコンピュータシステムである。制御部９は、画像形成装置Ｇの各種動作を制御する制御手段として機能するに加えて、接続された給紙装置ＰＳの動作の制御を行う。
【００９０】
ＣＰＵ９１は、ＲＯＭ９２に収納されたプログラムを実行することにより画像形成装置Ｇの画像形成動作を制御するとともに、給紙装置ＰＳを画像形成装置Ｇの画像形成の動作に連動にて動作させるように制御する。
【００９１】
９８は通信部であり、通信部９８は給紙装置ＰＳの通信部９０８に接続され、画像形成装置Ｇと給紙装置ＰＳとの間で用紙搬送制御のための情報等の各種情報を送受信する。
【００９２】
９９はバスであり、バス９９には、制御部９とともに、原稿読取部１、露光部２、画像形成部３、定着部５、用紙搬送部６、操作表示部８、が接続されており、相互の情報の授受を可能にしている。
【００９３】
制御部９は、操作表示部８から入力されたジョブ情報に基づいて、バス９９に接続された各装置、機構部の動作を制御し、用紙搬送部６を動作させて用紙を搬送させ、搬送される用紙に画像形成を行わせる。
【００９４】
制御部９は、操作表示部８から、給紙装置ＰＳの収納された用紙を使用するジョブが入力されたときは、入力されたジョブ情報に基づく給紙信号を給紙装置ＰＳに発信し、給紙装置ＰＳに給紙信号に基づく用紙を画像形成装置Ｇに搬送させて、画像形成装置Ｇにて搬送させた用紙に画像形成を行わせる。給紙信号は、給送を必要とする用紙のサイズ、枚数の情報が含まれる。
【００９５】
給紙装置ＰＳにおける９００は給紙制御部である。給紙制御部９００は、ＣＰＵ９０１、ＲＯＭ９０２、ＲＡＭ９０３、計時手段９０４、比較演算手段９０５、を有するコンピュータシステムである。給紙制御部９００は、給紙装置ＰＳの各種動作を制御する制御手段として機能し、画像形成装置Ｇから伝達された給紙信号に基づいて給紙装置ＰＳが画像形成装置Ｇへの給紙を行う各種動作を制御する。
【００９６】
ＣＰＵ９０１は、ＲＯＭ９０２に収納されたプログラムを実行することにより給紙装置ＰＳの動作を制御し、収納した用紙を画像形成装置Ｇに搬送する。
【００９７】
ＲＯＭ９０２は、給紙装置ＰＳを動作させるためのプログラムと、及び、複数の定数を収納する。収納されている定数は、第１の待機時間ｔｗ１、第２の待機時間ｔｗ２、第３の待機時間ｔｗ３、第４の待機時間ｔｗ４、及び所定時間ｔ１ｋである。収納されているこれらの定数については後述する。
【００９８】
ＲＡＭ９０３は、複数の情報の収納と読み出しが可能であり、ＣＰＵ９０１が、給紙装置ＰＳの制御を実行する際に生成したデータあるいは取得したデータを収納する。
【００９９】
計時手段９０４は複数の計時が可能である。計時手段９０４の計時はＣＰＵ９０１の制御のもとに開始され、また、計測値はＣＰＵ９０１の制御のもとにリセットされて初期値に戻される。
【０１００】
比較演算手段９０５は、ＣＰＵ９０１の制御のもとに複数の比較演算処理行う。
【０１０１】
通信部（９０８）は通信手段として機能し、画像形成装置Ｇの通信部９８に接続されており、給紙装置ＰＳと画像形成装置Ｇとの間で用紙搬送制御のための情報等の各種情報を送受信する。
【０１０２】
９０９はバスであり、バス９０９には、給紙制御部９００とともに、給紙ユニットＳＵ（本実施の形態においては２台）、用紙搬送路４００と電源部５００が接続されており、相互の情報の授受を可能にしている。
【０１０３】
そして、ＣＰＵ９０１は、画像形成装置Ｇから伝達された給紙信号に基づいて、バス９０９に接続された各装置、機構部の動作を制御し、給紙信号に指定された用紙を給紙ユニットＳＵから取り出し、画像形成装置Ｇに搬送させる。
【０１０４】
＜給紙装置ＰＳの動作例＞
図６は給紙装置ＰＳにおけるＣＰＵ９０１の給紙に係る動作を説明するフローチャートである。
【０１０５】
以下、図６を参照して、給紙装置ＰＳの動作例について説明する。
【０１０６】
画像形成装置Ｇからの給紙信号を受けると（ステップＳ１）、ＣＰＵ９０１は給紙装置ＰＳにおける記録紙の給紙の制御を開始する。給紙信号には、給送を必要とする用紙のサイズ、枚数の情報が含まれる。
【０１０７】
ステップＳ２にては、電源部５００の動作を制御して、給紙信号に指定された用紙を収納する給紙ユニットＳＵの分離送風ファン２２１Ｆ２をＯＮ、すなわち起動させる。
【０１０８】
ステップＳ３にては計時手段９０４を動作させて、ＲＯＭ９０２に収納されている定数である第１の待機時間ｔｗ１が経過することを待つ。
【０１０９】
分離送風ファン２２１Ｆ２のモータは電源部５００から供給された電力により動作する。停止状態にあるモータを起動させるときは、回転速度が低い回転開始直後は大電流を供給する必要があり、回転速度が高まるにつれて供給する電流値が軽減される。
【０１１０】
給紙装置ＰＳにはファンを駆動するモータ含め複数のモータが配置されており、これら複数のモータは、電源部５００から供給される電力により駆動される。そして、これら複数のモータを一斉に起動させるときは、複数のモータに一斉に大電流を供給する必要が生じ、電源部５００の容量を大きくする必要がある。
【０１１１】
第１の待機時間ｔｗ１は、分離送風ファン２２１Ｆ２を起動させてから、分離送風ファン２２１Ｆ２に大電流を供給する必要がある時間範囲、すなわち、電源部５００が別のモータを起動させることが困難な時間範囲であり、電源部５００の容量、及び、分離送風ファン２２１Ｆ２の出力を踏まえて予め設定される。分離送風ファン２２１Ｆ２をＯＮ、すなわち起動させてから第１の待機時間ｔｗ１が経過した後には、分離送風ファン２２１Ｆ２に供給する電流は小さくてすむので、電源部５００は別のモータを起動させることができる。
【０１１２】
ＣＰＵ９０１は、分離送風ファン２２１Ｆ２の起動から第１の待機時間ｔｗ１が経過したステップＳ４にて、電源部５００の動作を制御して、浮上送風ファン２１１Ｆ、２１２Ｆ、２２１Ｆ１をＯＮ、すなわち起動させる。
【０１１３】
ステップＳ４における浮上送風ファン２１１Ｆ、２１２Ｆ、２２１Ｆ１の起動により、エアフローＡ１、Ａ２、Ａ３が吹きつけられ、用紙Ｐは浮上される。
【０１１４】
本実施の形態における給紙装置ＰＳにおいては、浮上送風ファン２１１Ｆ、２１２Ｆ、２２１Ｆ１が形成するエアフローを、分流することなく、すべて用紙の浮上のために供するので、質量の大きい用紙を浮上させることができる。また、浮上送風ファン２１１Ｆ、２１２Ｆ、２２１Ｆ１を、分離送風ファン２２１Ｆ２を動作させてから第１の待機時間ｔｗ１が経過した後に動作させるので、浮上送風ファンのモータを起動する電源部の負担が分散され、大出力の浮上送風ファンを配置することができる。
【０１１５】
続くステップＳ５にて、ＣＰＵ９０１は計時手段９０４を動作させて、ＲＯＭ９０２に収納されている定数である第２の待機時間ｔｗ２が経過するまで待機し、第２の待機時間ｔｗ２が経過するとステップＳ６に移行する。
【０１１６】
第２の待機時間ｔｗ２は、浮上送風ファン２１１Ｆ、２１２Ｆ、２２１Ｆ１を起動させてから、浮上送風ファン２１１Ｆ、２１２Ｆ、２２１Ｆ１それぞれに大電流を供給する必要がある時間範囲であり、別のモータをスタートさせることが困難な時間範囲として、電源部５００の容量、浮上送風ファン２１１Ｆ、２１２Ｆ、２２１Ｆ１の出力を踏まえて予め設定される。各浮上送風ファン２１１Ｆ、２１２Ｆ、２２１Ｆ１をスタートさせてから第２の待機時間ｔｗ２が経過した後は、各浮上送風ファンに供給する電流は小さくなるので、別のモータを起動させることができる。
【０１１７】
ステップＳ６では、電源部５００の動作を制御して、吸引ファン３５１ＦをＯＮ、すなわち起動させる。
【０１１８】
このように、吸引ファン３５１Ｆを、浮上送風ファン２１１Ｆ、２１２Ｆ、２２１Ｆ１を動作させてから第２の待機時間ｔｗ２が経過した後に動作させるので、電源部５００の負担が軽減され、大容量を必要としない。
【０１１９】
吸引ファン３５１Ｆの起動により、用紙Ｐを搬送ベルト３０１に向けて吸引する空気の流れが形成され、エアフローＡ１、Ａ２、Ａ３の作用により浮上されている用紙Ｐが搬送ベルト３０１に吸着される。
【０１２０】
続くステップＳ７では、計時手段９０４を動作させて吸引ファン３５１Ｆを起動させてからの経過時間ｔ１の計時をスタートさせる。
【０１２１】
ステップＳ８では、吸着検知センサ３６０の出力がＯＮか否か、すなわち、用紙Ｐがａ搬送ベルト３０１に吸着されたか否か、を確認する。
【０１２２】
吸着検知センサ３６０の出力がＯＮ（ステップＳ８：Ｙｅｓ）のときは、ステップＳ１１に移行し、出力がＯＮでない（ステップＳ８：Ｎｏ）のときは、ステップＳ９に移行する。
【０１２３】
ステップＳ９では、計時手段９０４により計時される経過時間ｔ１が、ＲＯＭ９０２に収納された定数の１つである所定時間ｔ１ｋ以上になっているか否かが確認される。所定時間ｔ１ｋは、吸引ファン３５１Ｆを起動した後に用紙Ｐが搬送ベルト３０１に吸着されるまでに要する時間の基準値であり、予め実験等により求めたられたものである。吸引ファン３５１Ｆが起動後、少なくとも所定時間ｔ１ｋ以内に吸着検知センサ３６０の出力がＯＮになるときは、ＣＰＵ９０１は吸引ファン３５１Ｆ及び各浮上ファンが正常に動作したと判断する。また、吸着検知センサ３６０の出力がＯＮにならないままで所定時間ｔ１ｋが経過したときは、ＣＰＵ９０１は用紙Ｐの浮上動作、あるいは搬送ベルト３０１への吸着動作に何らかの異常が発生していると判断する。
【０１２４】
ＣＰＵ９０１は、ステップＳ９において、経過時間ｔ１が所定時間ｔ１ｋに満たない（ステップＳ９：Ｎｏ）ときはステップＳ８に戻り、吸着検知センサ３６０の出力がＯＮか否かが、再度確認させる。経過時間ｔ１が所定時間ｔ１ｋ以上である（ステップＳ９：Ｙｅｓ）とき、すなわち、吸引ファン３５１Ｆを起動させてから所定時間ｔ１ｋが経過しても用紙Ｐが搬送ベルト３０１に吸着されないとき、にはステップＳ１０に移行して経過時間ｔ１をリセットし、さらにステップＳ２２に移行して給紙装置ＰＳの動作を停止させる。また、ステップＳ２２では、動作を停止するとともに、不良が発生したことを、例えば画像形成装置Ｇの操作表示部８に表示するようにても良い。
【０１２５】
ステップＳ９にて吸着検知センサ３６０の出力がＯＮ（ステップＳ８：Ｙｅｓ）のときは、ステップＳ１１にて経過時間ｔ１をリセットさせ、ステップＳ１２に移行する。
【０１２６】
ステップＳ１２では、回転検知センサ２２１Ｓからの回転検知信号が発信されているか否かを確認する。回転検知センサ２２１Ｓは分離送風ファン２２１Ｆ２が回転しているか否かを検知するセンサであり、分離送風ファン２２１Ｆ２が回転していることを検知すると回転検知信号を発信する。回転検知信号の発信が確認された（ステップＳ１２  Ｙｅｓ）ときはステップＳ１３に移行し、回転検知信号の発信回転検知信号の発信の確認が確認されない（ステップＳ１２  Ｎｏ）ときはステップＳ２２に移行して給紙装置ＰＳの動作を停止させる。ステップＳ２で起動されている分離送風ファン２２１Ｆ２の回転検知信号が確認されていないことは、用紙Ｐの分離動作に何らかの異常が発生していることであり、ＣＰＵ９０１は、給紙装置ＰＳの動作を停止させる。
【０１２７】
なお、本実施の形態におけるステップＳ１２では、ステップＳ１２に移行後直ちに回転検知信号の発信の有無を確認しているが、ステップＳ１２に移行後、別に定める所定時間以内に回転検知信号の発信の確認がなされたか否かを確認するように構成してもよい。このように構成することにより、万が一、分離送風ファン２２１Ｆ２自身の故障以外の理由で分離送風ファン２２１Ｆ２の回転開始が遅れた場合にも、所定時間内に回転した場合には、問題なく給紙を行うことができる。
【０１２８】
ステップＳ１２にて、回転検知信号の発信が確認、すなわち、分離送風ファン２２１Ｆ２が回転していることが確認されるとステップＳ１３に移行する。
【０１２９】
ステップＳ１３にては、ＣＰＵ９０１は計時手段９０４を動作させて、ＲＯＭ９０２に収納されている定数である第３の待機時間ｔｗ３が経過するまで待機する。
【０１３０】
第３の待機時間ｔｗ３は、搬送ベルト３０１に吸着された用紙Ｐに他の用紙が付着しているとき、分離送風ファン２２１Ｆ２の回転により形成されるエアフローＡ４が、吸着された用紙Ｐから、付着した用紙を分離・離間させるに要する時間であり、分離送風ファン２２１Ｆ２の送風出力を踏まえて予め設定されている。
【０１３１】
ステップＳ１３にて第３の所定時間ｔｋ３が経過するまでエアフローＡ４を吹きつけることにより、搬送ベルト３０１には用紙Ｐ１のみが吸着された状態となる。
【０１３２】
ステップＳ１３における第３の待機時間ｔｗ３が経過するとステップＳ１４に移行し、駆動モータ３１１Ｍを動作させる。これにより、搬送ベルト３０１は吸着した１枚の用紙Ｐを用紙搬送路４００に向けて搬送する。
【０１３３】
続くステップＳ１５では、用紙搬送路４００に配置された入口搬送ローラ４００Ｒ１を駆動する入口モータ４００ＭがＯＮ状態にあるか否かを確認する。入口モータ４００ＭがＯＮである（ステップＳ１５  Ｙｅｓ）ときはステップＳ１７に移行し、入口モータ４００ＭがＯＮでない（ステップＳ１５  Ｎｏ）ときはステップＳ１６にて、電源部５００の動作を制御して、入口モータ４００ＭをＯＮさせて、ステップＳ１７に移行する。
【０１３４】
ステップＳ１７では、搬送ベルト３０１に搬送される用紙Ｐの先端が、用紙搬送路４００の入口の入口センサ４００Ｓの配置位置に到達して、搬送路入口センサ４００Ｓに検知されることを待つ。用紙の先端が検知される（ステップＳ１７  Ｙｅｓ）とステップＳ１８に移行する。
【０１３５】
ステップＳ１８では、ＣＰＵ９０１は計時手段９０４を動作させて、ＲＯＭ９０２に収納されている定数である第４の待機時間ｔｗ４が経過するまで待機する。第４の待機時間ｔｗ４は、搬送ベルト３０１に搬送される用紙Ｐの先端が、入口センサ４００Ｓに検出される位置に到達してから、入口搬送ローラ４００Ｒ１と入口従動ローラ４００Ｒ２とが用紙Ｐの先端を挟持する位置まで搬送されるために必要とする時間であり、予め設定されている。第４の待機時間ｔｗ４が経過するとステップＳ１９に移行する。
【０１３６】
ステップＳ１９では、電源部５００の動作を制御して、駆動モータ３１１Ｍを停止させる。駆動モータ３１１Ｍの停止により搬送ベルト３０１の駆動は停止されるが、搬送されてきた用紙Ｐは、入口搬送ローラ４００Ｒ１と入口従動ローラ４００Ｒ２により挟持され、用紙搬送路４００に送り出される。
【０１３７】
続くステップＳ２０では、入口搬送ローラ４００Ｒ１と入口従動ローラ４００Ｒ２により搬送される用紙Ｐの後端が入口センサ４００Ｓの配置位置に到達して、入口センサ４００Ｓに検知されることを待つ。用紙の後端が検知される（ステップＳ２０  Ｙｅｓ）とステップＳ２１に移行する。
【０１３８】
ステップＳ２１では、ステップＳ１にて画像形成装置Ｇから受信した給紙信号に基づく用紙の給送が終了したか否かを確認する。給紙信号に基づく用紙の給送が終了したか否かは、例えば、給紙信号に含まれる給送を必要とする用紙の枚数の情報と、給紙装置ＰＳが別途カウントしている画像形成装置Ｇに給送を実行した用紙の枚数とを比較して判断される。そして、給紙信号に含まれる給送を必要とする用紙の枚数に、給送を実行した用紙の枚数が満たないときは、給紙は終了していないと判断し、給紙信号に含まれる給送を必要とする用紙の枚数に、給送を実行した用紙の合計枚数が一致したときは、給紙は終了したと判断する。
【０１３９】
ステップＳ２１で、給紙は終了していないと判断（ステップＳ２１  Ｎｏ）したときは、ステップＳ７に戻り、ステップＳ７からステップＳ２１までの行程を、ステップＳ２１にて、給紙は終了したと判断（ステップＳ２１  Ｙｅｓ）されるまでくりかえす。ステップＳ２１にて、給紙は終了したと判断（ステップＳ２３  Ｙｅｓ）されたときは給紙動作を終了させる。
【０１４０】
以上説明したように、本発明の実施の形態である給紙装置ＰＳは、浮上エアフローと分離エアフローとをそれぞれ独立した送風ファンにより形成するので、兼用の場合と比較して、小型の浮上送風ファンを使用して質量の大きい用紙を浮上させることできる。
【０１４１】
吸着検知センサからの吸着検知情報信号と回転検知センサからの回転検知信号を確認して搬送ベルトを動作させるので、用紙が搬送ベルトに吸着されていることと、吸着された用紙に対しての分離のための送風が行われていることとを確認してから搬送がなされるので、用紙を確実に１枚ずつ搬送することができる。
【０１４２】
また、分離送風ファンを起動後、第１の待機時間が経過した後に浮上送風ファンを起動し、さらに浮上送風ファンを起動後、第２の待機時間が経過した後に吸引ファンを起動するので、各ファンを一斉に起動させる方式に対して、各ファンに電力を供給する電源部の容量を小さいものにすることができる。
【符号の説明】
【０１４３】
Ｇ  画像形成装置
１  原稿読取部
２  露光部
３  画像形成部
４  中間転写部
５  定着部
６  用紙搬送部
８  操作表示部
９  制御部
９１  ＣＰＵ
９８  通信部
９９  バス
ＰＳ  給紙装置
ＳＵ  給紙ユニット
２００  用紙収納部
２０１  用紙載置台
２１１  側面ガイド
２１１Ｆ  浮上送風ファン
２１２  側面ガイド
２１２Ｆ  浮上送風ファン
２２１  先端突き当て部
２２１Ｆ１  浮上送風ファン
２２１Ｆ２  分離送風ファン
２２１Ｈ１  吹出口
２２１Ｈ２  吹出口
２２１Ｓ  回転検知センサ
３００  吸着搬送部
３０１  搬送ベルト
３１１  駆動ローラ
３１１Ｍ  駆動モータ
３５１  減圧室
３５１Ｆ  吸引ファン
３６０  吸着検知センサ
４００  用紙搬送路
４００Ｍ  入口モータ
４００Ｒ１  入口搬送ローラ
４００Ｒ２  入口従動ローラ
４００Ｓ  入口センサ
５００  電源部
９００  給紙制御部
９０１  ＣＰＵ
９０２  ＲＯＭ
９０４  計時手段
９０８  通信部
９０９  バス
Ｐ  用紙
【図１】
2010247970.tif 000003
【図２】
2010247970.tif 000004
【図３】
2010247970.tif 000005
【図４】
2010247970.tif 000006
【図５】
2010247970.tif 000007
【図６】
2010247970.tif 000008